(57)【要約】      （修正有）【課題】検索結果の全体の情報と特徴的な個別の情報の両方を同時に表示できる検索結果表示方法および検索結果表示装置を提供する。【解決手段】検索語を受信することと、検索語に従って、第１の検索結果および第２の検索結果を取得することであって、第１の検索結果は検索語に対応する全体の情報を含み、第２の検索結果は検索語に対応する個別の情報を含むことと、第１の検索結果および第２の検索結果を表示することと、を備える。【選択図】図１
2016012337.tif 000002
【特許請求の範囲】
【請求項１】
検索語を受信することと、
前記検索語に従って、第１の検索結果および第２の検索結果を取得することであって、前記第１の検索結果は前記検索語に対応する全体の情報を含み、前記第２の検索結果は前記検索語に対応する個別の情報を含むことと、
前記第１の検索結果および前記第２の検索結果を表示することと、を備えた、検索結果表示方法。
【請求項２】
前記全体の情報は全体の価格情報を含み、前記個別の情報は個別の購入チャネル情報を含む、請求項１に記載の方法。
【請求項３】
前記検索語に従った第１の検索結果の前記取得は、エンティティと前記全体の情報との関係が記録されている予め確立されたデータベースから、前記検索語に対応する前記第１の検索結果を取得することを含み、
特に、
前記全体の情報は、前記エンティティに対応する元データを集約することによって取得され、かつ／または、
前記データベースは、前記元データが更新されると、当該更新に応じて更新される、請求項１または２に記載の方法。
【請求項４】
前記第１の検索結果が第１の領域に表示され、前記第１の領域が選択オプションを含む方法であって、
前記選択オプションに対応する全体の情報を決定するために、前記選択オプションを決定することをさらに備えた、請求項１ないし３のいずれかに記載の方法。
【請求項５】
前記選択オプションは、地域、出所、年齢、および性別のうち少なくとも１つを含む、請求項４に記載の方法。
【請求項６】
選択オプションの前記決定は、
選択に従って前記選択オプションを決定することと、
前記選択オプションが地域を含む場合、用いられているデバイスのＩＰアドレスを検出し、前記ＩＰアドレスに従って地域を決定することと、を備えた、請求項４に記載の方法。
【請求項７】
前記第２の検索結果が、前記検索語に対応する個別の画像および／またはテキスト情報を含む方法であって、
前記第２の検索結果中の前記個別の画像および／またはテキスト情報がクリックされると、個別のウェブページにジャンプすることをさらに備えた、請求項１ないし６のいずれかに記載の方法。
【請求項８】
検索語を受信する受信モジュールと、
前記検索語に従って、第１の検索結果および第２の検索結果を取得する取得モジュールであって、前記第１の検索結果は前記検索語に対応する全体の情報を含み、前記第２の検索結果は前記検索語に対応する個別の情報を含むモジュールと、
前記第１の検索結果および前記第２の検索結果を表示する表示モジュールと、を備えた、検索結果表示装置。
【請求項９】
前記全体の情報は全体の価格情報を含み、前記個別の情報は個別の購入チャネル情報を含む、請求項８に記載の装置。
【請求項１０】
前記取得モジュールは、エンティティと前記全体の情報との関係が記録されている予め確立されたデータベースから、前記検索語に対応する前記第１の検索結果を取得し、
特に、
前記全体の情報は、前記エンティティに対応する元データを集約することによって取得され、かつ／または、
前記データベースは、前記元データが更新されると、当該更新に応じて更新される、請求項８または９に記載の装置。
【請求項１１】
前記第１の検索結果が第１の領域に表示され、前記第１の領域が選択オプションを含む装置であって、
前記選択オプションに対応する全体の情報を決定するために、前記選択オプションを決定する決定モジュールをさらに備えた、請求項８ないし１０のいずれかに記載の装置。
【請求項１２】
前記選択オプションは、地域、出所、年齢、および性別のうち少なくとも１つを含む、請求項１１に記載の装置。
【請求項１３】
前記決定モジュールは、選択に従って前記選択オプションを決定する、または、前記選択オプションが地域を含む場合、用いられているデバイスのＩＰアドレスを検出し、前記ＩＰアドレスに従って地域を決定する、請求項１１に記載の装置。
【請求項１４】
前記第２の検索結果が、前記検索語に対応する個別の画像および／またはテキスト情報を含む装置であって、
前記第２の検索結果中の前記個別の画像および／またはテキスト情報がクリックされると、個別のウェブページにジャンプするジャンプモジュールをさらに備えた、請求項８ないし１３のいずれかに記載の装置。
【請求項１５】
コンピュータ上で作動させると、請求項１ないし７のいずれかに記載の検索結果表示方法を実行するコンピュータプログラムを格納した、コンピュータ可読記録媒体。
【発明の詳細な説明】
【技術分野】
【０００１】
本開示は、通信技術の分野に関し、より具体的には、検索結果表示方法および検索結果表示装置に関する。
【背景技術】
【０００２】
インターネットで膨大な量の情報の中から所望の情報を検索することはよくあることであり、検索エンジンが不可欠なツールとなってきている。ユーザが特定の商品を購入する際、価格のクエリ（query）を行い、購入チャネルを見つけ、発注し、支払いを行う等の手順がある。各業界に膨大な量の情報が存在するため、同一の商品が異なる購入チャネルで異なる価格で販売されている場合がある。
【０００３】
関連技術では、検索エンジンはユーザに断片化された情報しか表示せず、ユーザが膨大な量の情報を比較分析しなくてはならないため、ユーザにとっての使い勝手は悪いものであった。
【発明の概要】
【０００４】
本開示の実施形態は、上記関連技術に存在する問題のうち少なくとも１つを少なくともある程度解決しようとするものである。
【０００５】
本開示の第１の態様の実施形態によると、検索結果表示方法が提供される。当該方法は、検索語を受信することと、検索語に従って、第１の検索結果および第２の検索結果を取得することであって、第１の検索結果は検索語に対応する全体の情報を含み、第２の検索結果は検索語に対応する個別の情報を含むことと、第１の検索結果および第２の検索結果を表示することと、を備える。
【０００６】
本開示の実施形態に係る検索結果表示方法によると、第１の検索結果を取得し表示することによって、検索語によって記述されたエンティティに対するユーザの全体の要求を満たすことができ、第２の検索結果を取得し表示することによって、ユーザの個別の要求を満たすことができる。
【０００７】
したがって、第１の検索結果および第２の検索結果を表示することによって、全体の情報がユーザに表示されるだけでなく、特徴的な個別の情報がユーザに表示されることになるため、ユーザが自分の様々な要求を満たすように都合に応じてより豊かな情報を取得することができ、ユーザにとっての使い勝手を向上させ、ユーザをより惹きつけることができる。
【０００８】
本開示の第２の態様の実施形態によると、検索結果表示装置が提供される。当該装置は、検索語を受信する受信モジュールと、検索語に従って、第１の検索結果および第２の検索結果を取得する取得モジュールであって、第１の検索結果は検索語に対応する全体の情報を含み、第２の検索結果は検索語に対応する個別の情報を含むモジュールと、第１の検索結果および第２の検索結果を表示する表示モジュールと、を備える。
【０００９】
本開示の実施形態に係る検索結果表示装置によると、第１の検索結果を取得し表示することによって、検索語によって記述されたエンティティに対するユーザの全体の要求を満たすことができ、第２の検索結果を取得し表示することによって、ユーザの個別の要求を満たすことができる。
【００１０】
したがって、第１の検索結果および第２の検索結果を表示することによって、全体の情報がユーザに表示されるだけでなく、特徴的な個別の情報がユーザに表示されることになるため、ユーザが自分の様々な要求を満たすように都合に応じてより豊かな情報を取得することができ、ユーザにとっての使い勝手を向上させ、ユーザをより惹きつけることができる。
【００１１】
本開示の第３の態様の実施形態によると、コンピュータ可読記録媒体が提供される。当該コンピュータ可読記録媒体は、コンピュータ上で作動させると、本開示の第１の態様の実施形態に係る検索結果表示方法を実行するコンピュータプログラムを備える。
【００１２】
本開示の実施形態の他の態様や利点は、部分的には以下に記載され、部分的には以下の記載によって明らかにされ、本開示の実施形態の実施によって理解されることになろう。
【図面の簡単な説明】
【００１３】
本開示の実施形態の上記および他の態様や利点を明らかでより理解しやすいようにするために、下記の図面を参照して以下に説明する。
【図１】図１は、本開示の一実施形態に係る検索結果表示方法のフローチャートである。
【図２】図２は、本開示の別の実施形態に係る検索結果表示方法のプロセスを説明する模式図である。
【図３】図３は、本開示の一実施形態に係る検索結果表示を説明する模式図である。
【図４】図４は、関連技術における検索結果表示を説明する模式図である。
【図５】図５は、本開示の一実施形態に係る検索結果表示装置のブロック図である。
【図６】図６は、本開示の別の実施形態に係る検索結果表示装置のブロック図である。
【発明を実施するための形態】
【００１４】
本開示の実施形態を詳細に参照する。ここで図面を参照して説明する実施形態は、説明および例示のためのものであり、本開示の概要を理解するために用いられる。実施形態は、本開示を限定するものとして解釈するべきではない。同一または同様の要素、および同一または同様の機能を有する要素には、説明全体にわたって同様の参照番号を付してある。
【００１５】
図１は、本開示の一実施形態に係る検索結果表示方法のフローチャートである。
図１に示すように、検索結果表示方法は、以下のステップを備える。
【００１６】
ステップＳ１１において、検索語を受信する。
具体的には、ユーザによって入力された検索語が、クライアントの検索エンジンによって受信される。
【００１７】
ユーザによって入力された検索語は、質問形式の検索語であってもよい。
具体的には、質問形式の検索語は、商品の価格のクエリ（query）を行う検索語であってもよい。例えば、ユーザによって入力された検索語が、「シベリアンハスキーはいくらか？」であったとする。
【００１８】
ステップＳ１２において、検索語に従って、第１の検索結果および第２の検索結果を取得する。第１の検索結果は検索語に対応する全体の情報を含み、第２の検索結果は検索語に対応する個別の情報を含む。
【００１９】
第１の検索結果は、検索語によって記述されたエンティティに対するユーザの全体の要求を満たすために用いられ得る。具体的には、全体の情報は、商品の全体の価格情報を意味する。例えば、検索語「シベリアンハスキーはいくらか？」に対して、第１の検索結果は、シベリアンハスキーの価格帯を含んでいてもよい。
【００２０】
エンティティ（entity）とは、自然界に存在し、他から判別可能なものである。エンティティは、人であってもよく、物理的な物体であってもよく、抽象概念であってもよい。例えば、「サモエド」や「シベリアンハスキー」等が、エンティティに属する。
【００２１】
また、全体の情報は、サーバが、エンティティに対応する予め取得された元データを集約することによって取得される。例えば、サーバは、シベリアンハスキーの大量の価格データを収集し、収集した価格データを集約することによって、シベリアンハスキーの価格帯を取得し、検索エンジンに供給して表示させる。
【００２２】
第２の検索結果は、検索語によって記述されたエンティティに対するユーザの個別の要求を満たすために用いられる。具体的には、個別の要求は、購入チャネル要求を含んでいてもよい。例えば、検索語「シベリアンハスキーはいくらか？」に対して、第２の検索結果は、個別の購入チャネル情報を含むシベリアンハスキーの個別の情報を含んでいてもよい。例えば、第２の検索結果は、複数のハスキーについての情報を含み、ユーザがそれらハスキーのうち１匹を選択して購入できるようにする。
【００２３】
ステップＳ１３において、第１の検索結果および第２の検索結果を表示する。
第１の検索結果および第２の検索結果は、異なる領域に表示されてもよい。例えば、第１の検索結果は、第２の検索結果の上に表示される。
【００２４】
関連技術において、ユーザが価格を検索すると、検索エンジンは検索結果をそれぞれ表示するのみであり、ユーザは、比較的正確な価格情報を取得するために、数多くの検索結果を閲覧し、検索結果を何度も比較しなくてはならない。また、さらに不都合なことに、価格情報の決定後、ユーザは、検索語を頻繁に変更して、何度も検索を開始することによって、購入チャネルを見つけなくてはならない。
【００２５】
したがって、ユーザの観点から、関連技術において、検索コストが高く、閲覧経路が長く、取得された情報が包括的ではなく、自分の要求が満たされないためにユーザが検索を断念することさえあり、結果として、ユーザを失うことになってしまう。
【００２６】
本開示の実施形態に係る検索結果表示方法によると、第１の検索結果を取得し表示することによって、検索語によって記述されたエンティティに対するユーザの全体の要求を満たすことができ、第２の検索結果を取得し表示することによって、ユーザの個別の要求を満たすことができる。
【００２７】
したがって、第１の検索結果および第２の検索結果を表示することによって、全体の情報がユーザに表示されるだけでなく、特徴的な個別の情報がユーザに表示されることになるため、ユーザが自分の様々な要求を満たすように都合に応じてより豊かな情報を取得することができ、ユーザにとっての使い勝手を向上させ、ユーザをより惹きつけることができる。
【００２８】
図２は、本開示の別の実施形態に係る検索結果表示方法のプロセスを説明する模式図である。
図２に示すように、検索結果表示方法は、以下のステップを備える。
【００２９】
ステップＳ２１において、検索エンジンが、ユーザによって入力された検索語を受信する。
例えば、ユーザによって入力された検索語が、「シベリアンハスキーはいくらか？」であったとする。
【００３０】
検索エンジンは、クライアントに配置される。本実施形態において、第１の検索結果および第２の検索結果を取得するための検索エンジンとサーバとの相互作用を例として挙げる。
【００３１】
ステップＳ２２において、検索エンジンは、選択オプションを決定する。
いくつかの実施形態において、選択オプションは、地域、出所、年齢、および性別のうち少なくとも１つを含む。
【００３２】
具体的には、検索エンジンは、ユーザの選択に従って選択オプションを決定してもよい。例えば、図３に示すように、検索エンジンは、複数の選択オプション（例えば、都市、出所、および年齢）をユーザに表示して、ユーザが異なる選択オプションから所望の内容を選択できるようにする。
【００３３】
特に、選択オプションが地域（例えば、都市）を含む場合、ユーザによって用いられているデバイスのＩＰ（インターネットプロトコル）アドレスを検出し、ＩＰアドレスに従って地域を決定してもよい。
【００３４】
ステップＳ２３において、検索エンジンは、ユーザによって入力された検索語および決定された選択オプションをサーバに送信する。
【００３５】
ステップＳ２４において、サーバは、予め確立されたデータベースから、検索語および選択オプションに従って、第１の検索結果および第２の検索結果を取得する。
【００３６】
いくつかの実施形態において、エンティティ（例えば、商品）と全体の情報（例えば、価格帯）との関係が、データベースに記録されている。
【００３７】
価格帯は、商品に対応する元データを集約することによって取得されてもよい。元データは、個別の商品の価格情報および購入チャネル情報を含んでいてもよい。また、元データは、個別の商品についての他の次元における情報（例えば、地域、年齢、出所、性別等）を含んでいてもよい。
【００３８】
具体的には、サーバは、商品に対応する大量の元データを収集し、収集した元データを集約することによって、価格帯を取得する。
【００３９】
具体的には、集約は、まず所定の方針に従って明確化を行い、次いで、同一の商品データを統合してデータベースを確立することを含んでいてもよい。というのも、異なる販売者からの商品のデータ名および用語名は異なる場合があるからである。商品の集約されたデータが、データベースから直接返されることによって、ユーザのクエリを補助してもよい。
【００４０】
また、サーバは、多次元の情報に従って集約を行うことにより、選択オプションに対応する価格情報を決定してもよい。例えば、愛玩用の犬の価格に関し、元データは、複数の次元（例えば、血統、地域、出所、年齢等）に従って集約を行うことにより、データベースを確立する。したがって、ユーザは、都合に応じて情報を選択することができる。
【００４１】
また、データベースは、元データが更新されると、当該更新に応じて更新される。例えば、新規の元データが追加されると、最新の価格データをユーザに供給できるように、データベース中のデータがやがて更新されることになる。
【００４２】
サーバによる集約後、商品名と、多次元の選択情報と、商品価格と、購入チャネルとの関係を確立してもよい。この関係によって、検索語および選択オプションに対応する価格情報および購入チャネル情報を決定すること、すなわち、検索語および選択オプションに従って、第１の検索結果および第２の検索結果を決定することが可能となる。
【００４３】
ステップＳ２５において、サーバは、第１の検索結果および第２の検索結果を検索エンジンに送信する。
【００４４】
ステップＳ２６において、検索エンジンは、第１の検索結果および第２の検索結果をユーザに表示する。
【００４５】
第１の検索結果および第２の検索結果は、異なる領域に表示されてもよい。図３に示すように、第１の検索結果３１は、第２の検索結果３２の上の領域に表示される。
【００４６】
具体的には、第１の検索結果は、検索語によって記述された商品の画像をさらに含んでいてもよい。図３に示すように、第１の検索結果は、シベリアンハスキーの画像をさらに含む。第１の検索結果は、検索語に対応する回答、すなわち、多次元の情報（例えば、検索語によって記述された商品の名前（例えば、犬の血統）、選択オプションに表示される情報（例えば、都市）、犬の出所（例えば、ブリーダーか個人か）、犬の年齢等を含む）に従って集約を行うことにより取得されたシベリアンハスキーの全体の価格帯を表示する。ユーザは、選択オプションを変更することによって、対応する価格帯を取得してもよい。
【００４７】
第２の検索結果は、検索語に対応する個別の画像および／またはテキスト情報を含んでいてもよい。図３に示すように、第２の検索結果は、複数の個別のハスキーの画像およびテキスト情報を含む。ユーザは、毛種、毛色、外見等の好みに従って、さらなる選択を行ってもよい。
【００４８】
第１の検索結果および第２の検索結果を表示することに加えて、関連する推薦が表示されてもよい。例えば、図３を参照して、「ゴールデンレトリバーはいくらか？」や「トイプードルはいくらか？」等のような関連する推薦が表示されている。
【００４９】
一方、図４は、関連技術における検索結果表示を説明する模式図である。図４を参照して、関連技術において、異なる人々からの回答のみが、全体の価格情報なしに与えられる場合がある。図４と比較して、図３では、全体の価格情報（すなわち、シベリアンハスキーの価格帯）だけでなく、個別の購入チャネル情報も提供することができる。
【００５０】
また、第２の検索結果中の個別の画像および／またはテキスト情報がクリックされると、対応する購入チャネルにジャンプしてもよい。すなわち、検索結果表示方法は、ステップＳ２７をさらに含んでいてもよい。
【００５１】
ステップＳ２７において、第２の検索結果中の個別の画像および／またはテキスト情報がユーザによってクリックされると、検索エンジンは、個別のウェブページ（例えば、購入チャネル）にジャンプする。
【００５２】
例えば、ユーザが、第２の検索結果中の１７９０人民元に対応するシベリアンハスキーの画像をクリックすると、１７９０人民元に対応するシベリアンハスキーの購入チャネル（例えば、販売者のコンタクト情報）、シベリアンハスキーの具体的な説明等が表示されてもよい。
【００５３】
また、第１の検索結果および第２の検索結果を表示することに加えて、関連技術における検索結果が表示されてもよい。例えば、図３に基づいて、図４に示す内容が表示されてもよい。
【００５４】
本開示の実施形態に係る検索結果表示方法によると、第１の検索結果を取得し表示することによって、検索語によって記述されたエンティティに対するユーザの価格要求を満たすことができ、第２の検索結果を取得し表示することによって、ユーザの購入チャネル要求を満たすことができるため、ユーザは、自分で検索結果を比較して価格情報を決定する必要がなくなり、価格情報の決定後、新規の検索を開始して購入チャネル情報を取得する必要もなくなる。
【００５５】
したがって、価格のクエリを行い、購入チャネルを選択するにあたって、ユーザの検索および閲覧のコストを低減でき、ユーザにとっての使い勝手を向上させ、ユーザをより惹きつけることができる。
【００５６】
本開示の実施形態に係る検索結果表示方法によると、ユーザのターゲットとなる商品を識別し、インターネット上の業界全体の商品価格データを集約することによって、ユーザが複数のインターネットページを閲覧することによって価格比較を行うコストを効果的に低減できる。
【００５７】
一方、商品の画像および購入チャネルが提供されるため、複数回の検索および価格比較のコストを削減できる。したがって、ユーザが商品に対する興味および需要を表しさえすれば、本開示の実施形態に係る検索結果表示方法を用いて適切な商品および購入チャネルをワンストップマナーで見つけることができ、ユーザの検索および閲覧のコストを大幅に低減できる。
【００５８】
本開示の実施形態に係る検索結果表示方法によると、集約を行うことによって、より効率的な情報を供給でき、データベースを更新することによって、データの正確さを確保でき、画像を表示することによって、ユーザの視認および選択を補助できる。
【００５９】
図５は、本開示の一実施形態に係る検索結果表示装置のブロック図である。図５に示すように、検索結果表示装置５０は、受信モジュール５１、取得モジュール５２、および表示モジュール５３を備える。
【００６０】
受信モジュール５１は、検索語を受信する。
ユーザによって入力された検索語は、質問形式の検索語であってもよい。
【００６１】
具体的には、質問形式の検索語は、商品の価格のクエリを行う検索語であってもよい。例えば、ユーザによって入力された検索語が、「シベリアンハスキーはいくらか？」であったとする。
【００６２】
取得モジュール５２は、検索語に従って、第１の検索結果および第２の検索結果を取得する。第１の検索結果は検索語に対応する全体の情報を含み、第２の検索結果は検索語に対応する個別の情報を含む。
【００６３】
第１の検索結果は、検索語によって記述されたエンティティに対するユーザの全体の要求を満たすために用いられ得る。具体的には、全体の情報は、商品の全体の価格情報を意味する。例えば、検索語「シベリアンハスキーはいくらか？」に対して、第１の検索結果は、シベリアンハスキーの価格帯を含んでいてもよい。
【００６４】
エンティティとは、自然界に存在し、他から判別可能なものである。エンティティは、人であってもよく、物理的な物体であってもよく、抽象概念であってもよい。例えば、「サモエド」や「シベリアンハスキー」等が、エンティティに属する。
【００６５】
また、全体の情報は、サーバが、エンティティに対応する予め取得された元データを集約することによって取得される。例えば、サーバは、シベリアンハスキーの大量の価格データを収集し、収集した価格データを集約することによって、シベリアンハスキーの価格帯を取得し、検索エンジンにシベリアンハスキーの価格帯を供給して表示させる。
【００６６】
第２の検索結果は、検索語によって記述されたエンティティに対するユーザの個別の要求を満たすために用いられる。具体的には、個別の要求は、購入チャネル要求を含んでいてもよい。例えば、検索語「シベリアンハスキーはいくらか？」に対して、第２の検索結果は、個別の購入チャネル情報を含むシベリアンハスキーの個別の情報を含んでいてもよい。例えば、第２の検索結果は、複数のハスキーについての情報を含み、ユーザがそれらハスキーのうち１匹を選択して購入できるようにする。
【００６７】
いくつかの実施形態において、全体の情報は全体の価格情報を含み、個別の情報は個別の購入チャネル情報を含む。
【００６８】
いくつかの実施形態において、取得モジュール５２は、エンティティと全体の情報との関係が記録されている予め確立されたデータベースから、検索語に対応する第１の検索結果を取得する。
【００６９】
いくつかの実施形態において、全体の情報は、エンティティ（例えば、商品）に対応する元データを集約することによって取得される。
【００７０】
いくつかの実施形態において、データベースは、元データが更新されると、当該更新に応じて更新される。
【００７１】
いくつかの実施形態において、商品と価格帯との関係は、データベースに記録されていてもよい。
【００７２】
価格帯は、商品に対応する元データを集約することによって取得されてもよい。元データは、個別の商品の価格情報および購入チャネル情報を含んでいてもよい。また、元データは、個別の商品についての他の次元における情報（例えば、地域、年齢、出所、性別等）を含んでいてもよい。
【００７３】
具体的には、サーバは、商品に対応する大量の元データを収集し、収集した元データを集約することによって、価格帯を取得する。
【００７４】
具体的には、集約は、まず所定の方針に従って明確化を行い、次いで、同一の商品データを統合してデータベースを確立することを含んでいてもよい。というのも、異なる販売者からの商品のデータ名および用語名は異なる場合があるからである。商品の集約されたデータが、データベースから直接返されることによって、ユーザのクエリを補助してもよい。
【００７５】
また、サーバは、多次元の情報に従って集約を行うことにより、選択オプションに対応する価格情報を決定してもよい。例えば、愛玩用の犬の価格に関し、元データは、複数の次元（例えば、血統、地域、出所、年齢等）に従って集約を行うことにより、データベースを確立する。したがって、ユーザは、都合に応じて情報を選択することができる。
【００７６】
また、データベースは、元データが更新されると、当該更新に応じて更新される。例えば、新規の元データが追加されると、最新の価格データをユーザに供給できるように、データベース中のデータがやがて更新されることになる。
【００７７】
サーバによる集約後、商品名と、多次元の選択情報と、商品価格と、購入チャネルとの関係を確立してもよい。この関係によって、検索語および選択オプションに対応する価格情報および購入チャネル情報を決定すること、すなわち、検索語および選択オプションに従って、第１の検索結果および第２の検索結果を決定することが可能となる。
【００７８】
表示モジュール５３は、第１の検索結果および第２の検索結果を表示する。
第１の検索結果および第２の検索結果は、異なる領域に表示されてもよい。例えば、第１の検索結果は、第２の検索結果の上に表示される。
【００７９】
具体的には、第１の検索結果は、検索語によって記述された商品の画像をさらに含んでいてもよい。図３に示すように、第１の検索結果は、シベリアンハスキーの画像をさらに含む。第１の検索結果は、検索語に対応する回答、すなわち、多次元の情報（例えば、検索語によって記述された商品の名前（例えば、犬の血統）、選択オプションに表示される情報（例えば、都市）、犬の出所（例えば、ブリーダーか個人か）、犬の年齢等を含む）に従って集約を行うことにより取得されたシベリアンハスキーの全体の価格帯を表示する。ユーザは、選択オプションを変更することによって、対応する価格帯を取得してもよい。
【００８０】
第２の検索結果は、検索語に対応する個別の画像および／またはテキスト情報を含んでいてもよい。図３に示すように、第２の検索結果は、複数の個別のハスキーの画像およびテキスト情報を含む。ユーザは、毛種、毛色、外見等の好みに従って、さらなる選択を行ってもよい。
【００８１】
第１の検索結果および第２の検索結果を表示することに加えて、関連する推薦が表示されてもよい。例えば、図３を参照して、「ゴールデンレトリバーはいくらか？」や「トイプードルはいくらか？」等のような関連する推薦が表示されている。
【００８２】
関連技術において、ユーザが価格を検索すると、検索エンジンは検索結果をそれぞれ表示するのみであり、ユーザは、比較的正確な価格情報を取得するために、数多くの検索結果を閲覧し、検索結果を何度も比較しなくてはならない。また、さらに不都合なことに、価格情報の決定後、ユーザは、検索語を頻繁に変更して、何度も検索を開始することによって、購入チャネルを見つけなくてはならない。
【００８３】
したがって、ユーザの観点から、関連技術において、検索コストが高く、閲覧経路が長く、取得された情報が包括的ではなく、自分の要求が満たされないためにユーザが検索を断念することさえあり、結果として、ユーザを失うことになってしまう。
【００８４】
本開示の実施形態に係る検索結果表示装置によると、第１の検索結果を取得し表示することによって、検索語によって記述されたエンティティに対するユーザの全体の要求を満たすことができ、第２の検索結果を取得し表示することによって、ユーザの個別の要求を満たすことができる。
【００８５】
したがって、第１の検索結果および第２の検索結果を表示することによって、全体の情報がユーザに表示されるだけでなく、特徴的な個別の情報がユーザに表示されることになるため、ユーザが自分の様々な要求を満たすように都合に応じてより豊かな情報を取得することができ、ユーザにとっての使い勝手を向上させ、ユーザをより惹きつけることができる。
【００８６】
図６は、本開示の別の実施形態に係る検索結果表示装置のブロック図である。本実施形態に係る装置は、装置５０が決定モジュール５４をさらに含むという点において、図５に示す装置と異なる。いくつかの実施形態において、第１の検索結果は第１の領域に表示され、第１の領域は選択オプションを含む。決定モジュール５４は、選択オプションに対応する全体の情報を決定するために、選択オプションを決定する。
【００８７】
いくつかの実施形態において、選択オプションは、地域、出所、年齢、および性別のうち少なくとも１つを含む。
【００８８】
いくつかの実施形態において、決定モジュール５４は、選択に従って選択オプションを決定する。あるいは、選択オプションが地域を含む場合、決定モジュール５４は、用いられているデバイスのＩＰアドレスを検出し、ＩＰアドレスに従って地域を決定する。
【００８９】
具体的には、検索エンジンは、ユーザの選択に従って選択オプションを決定してもよい。例えば、図３に示すように、検索エンジンは、複数の選択オプション（例えば、都市、出所、および年齢）をユーザに表示して、ユーザが異なる選択オプションから所望の内容を選択できるようにする。
【００９０】
特に、選択オプションが地域（例えば、都市）を含む場合、ユーザによって用いられているデバイスのＩＰ（インターネットプロトコル）アドレスを検出し、ＩＰアドレスに従って地域を決定してもよい。
【００９１】
いくつかの実施形態において、第２の検索結果は、検索語に対応する個別の画像および／またはテキスト情報を含み、装置５０は、ジャンプモジュール５５をさらに含む。ジャンプモジュール５５は、第２の検索結果中の個別の画像および／またはテキスト情報がクリックされると、個別のウェブページにジャンプする。
【００９２】
例えば、ユーザが、第２の検索結果中の１７９０人民元に対応するシベリアンハスキーの画像をクリックすると、１７９０人民元に対応するシベリアンハスキーのウェブページが表示されてもよく、１７９０人民元に対応するシベリアンハスキーの購入チャネル（例えば、販売者のコンタクト情報）、シベリアンハスキーの具体的な説明等をウェブページに表示することもできる。
【００９３】
本開示の実施形態に係る検索結果表示装置によると、第１の検索結果を取得し表示することによって、検索語によって記述されたエンティティに対するユーザの価格要求を満たすことができ、第２の検索結果を取得し表示することによって、ユーザの購入チャネル要求を満たすことができるため、ユーザは、自分で検索結果を比較して価格情報を決定する必要がなくなり、価格情報の決定後、新規の検索を開始して購入チャネル情報を取得する必要もなくなる。
【００９４】
したがって、価格のクエリを行い、購入チャネルを選択するにあたって、ユーザの検索および閲覧のコストを低減でき、ユーザにとっての使い勝手を向上させ、ユーザをより惹きつけることができる。
【００９５】
本開示の実施形態に係る検索結果表示装置によると、ユーザのターゲットとなる商品を識別し、インターネット上の業界全体の商品価格データを集約することによって、ユーザが複数のインターネットページを閲覧することによって価格比較を行うコストを効果的に低減できる。一方、商品の画像および購入チャネルが提供されるため、複数回の検索および価格比較のコストを削減できる。
【００９６】
したがって、ユーザが商品に対する興味および需要を表しさえすれば、本開示の実施形態に係る検索結果表示装置を用いて適切な商品および購入チャネルをワンストップマナーで見つけることができ、ユーザの検索および閲覧のコストを大幅に低減できる。
【００９７】
本開示の実施形態に係る検索結果表示装置によると、集約を行うことによって、より効率的な情報を供給でき、データベースを更新することによって、データの正確さを確保でき、画像を表示することによって、ユーザの視認および選択を補助できる。
【００９８】
また、本開示の実施形態に係るコンピュータ可読記録媒体が提供される。当該コンピュータ可読記録媒体には、コンピュータ上で作動させると、本開示の上記実施形態に係る検索結果表示方法を実行するコンピュータプログラムが格納されている。
【００９９】
なお、「第１の」および「第２の」等の語は、説明のために用いられるものであって、相対的な重要性または重大性を意味または示唆するものではなく、記載された技術的特徴の数を示唆するものでもない。したがって、「第１の」および「第２の」という語とともに定義された特徴は、１つ以上の特徴を含んでいてもよい。本開示の記載において、「複数」は、異なる明示がない限り、２つまたは２つよりも多い数を指す。
【０１００】
ここで他の形式で説明するいかなるプロセスまたは方法のフローチャートも、特定の論理関数を実施するための１つ以上の実行可能な命令を含むか、展開のステップの１つ以上の実行可能な命令を含む、モジュール、セグメント、またはコードの一部分を表していてもよいと理解されるだろう。
【０１０１】
上述したフローチャートは、特定の実行順序を示しているが、実行順序は述べたものとは異なっていてもよいことが理解される。例えば２つ以上のボックスの実行順序は、上に示した順序と違っていてもよい。
【０１０２】
なお、本開示の各部分は、ハードウェア、ソフトウェア、ファームウエア、またはこれらの組み合わせで実現されてもよい。上記の実施形態において、複数のステップまたは方法は、メモリに記録され、適切な命令実行システムによって実行されるソフトウェアまたはファームウエアで実現されてもよい。
【０１０３】
例えば、ハードウェアで実現される場合、他の実施形態と同様に、ステップまたは方法は、データ信号の論理関数を実現する論理ゲート回路を有する個別の論理回路、適切な組み合わせ論理ゲート回路を有する特定用途向け集積回路、プログラマブル・ゲート・アレイ（ＰＧＡ）、フィールド・プログラマブル・ゲート・アレイ（ＦＰＧＡ）、等を含む、当該技術分野において公知の技術のうちの１つまたはこれらの組み合わせで実現されてもよい。
【０１０４】
当業者であれば、本開示の上記に例示した方法のステップの全体または一部は、関連するハードウェアにプログラムによって命令を与えることで実現されてもよいことが理解できるだろう。当該プログラムは、コンピュータ可読記録媒体に記録されていてもよく、プログラムは、コンピュータ上で作動する際、本開示の実施形態に係る方法のステップのうちの１つまたはこれらの組み合わせを含む。
【０１０５】
また、本開示の実施形態の各機能セルは処理モジュールに統合されていてもよく、これらのセルは別々の物理的存在であってもよく、２つ以上のセルが処理モジュールに統合されていてもよい。統合モジュールは、ハードウェアの形態で実現されてもよく、ソフトウェア機能モジュールの形態で実現されてもよい。統合モジュールがソフトウェア機能モジュールの形態で実現され、スタンドアローンの製品として販売または使用される場合、統合モジュールは、コンピュータ可読記録媒体に記録されていてもよい。
【０１０６】
上記の記録媒体は、リード・オンリー・メモリ、磁気ディスク、ＣＤ等であってもよい。
【０１０７】
本明細書全体にわたって、「実施形態」、「いくつかの実施形態」、「一実施形態」、「別の例」、「一例」、「具体例」、または「いくつかの例」への言及は、実施形態または例に関連して記載された特定の要素、構造、物質、または特徴が、本開示の少なくとも１つの実施形態または例に含まれることを意味する。
【０１０８】
したがって、「いくつかの実施形態において」、「一実施形態において」、「実施形態において」、「別の例において」、「一例において」、「具体例において」、または「いくつかの例において」等の語句の本明細書全体にわたる様々な個所での出現は、本開示の同一の実施形態または例に言及しているとは限らない。また、特定の要素、構造、物質、または特徴は、１つ以上の実施形態または例においていかなる適切な方法で組み合わせられてもよい。
【０１０９】
説明のための実施形態を記載し説明したが、上記の実施形態は本開示を限定するものとして解釈するべきではなく、本開示の精神、原理、および範囲から逸脱することなしに、上記実施形態を変更、選択、および変形可能であることが当業者であれば理解できるだろう。
【図１】
2016012337.tif 000003
【図２】
2016012337.tif 000004
【図５】
2016012337.tif 000005
【図６】
2016012337.tif 000006
【図３】
2016012337.tif 000007
【図４】
2016012337.tif 000008
【外国語明細書】
2016012337000001.pdf